(57)【特許請求の範囲】
【請求項１】
大便器とは別体に設けられ、分岐金具を介して大便器の給水管から分岐した給水管と、排水を大便器のボール面に排出する排水管とを備え、排水管が大便器と便座の間のリムに固着されていることを特徴とする手洗器。
【請求項２】
可変式のストッパーと排水管の排出部とで大便器のリムをはさむことにより排水管が前記リムに固着されていることを特徴とする請求項１に記載の手洗器。
【発明の詳細な説明】
【０００１】
【発明の属する技術分野】
本発明は、トイレ改修の施工に係り、特にその施工手間を減らすことができるようにした手洗器に関する。
【０００２】
【従来の技術】
大便器だけが設置されているトイレの改修時に、トイレ手洗器を新たに設ける場合、大便器とトイレ手洗器の給水管および排水管は別々であるため、トイレ手洗器の給排水管をトイレ内の床または壁を外し、床下または壁裏にある給水管、排水管から分岐させ、立ち上げ直す必要があった。
【０００３】
【発明が解決しようとする課題】
従来の技術では、トイレの改修時にトイレ手洗器を新たに設ける場合、トイレ手洗器の給排水管を新たに立ち上げ直す必要があった。立ち上げ直す場合、床または壁を外す必要があるが、その作業は通常工務店（大工）が行う場合が多い。一方、給排水管の立ち上げ直しやトイレ手洗器の取付けは水道工事店が行う場合が多く、相番工事となる。
本発明は、上記課題を解決するためになされたもので、本発明の目的は、トイレ手洗器の給水管立ち上げ直しによる施工手間の軽減と相番工事による改修工事の手待ち時間の低減、さらにそれらによる施工費の軽減を可能とした手洗器を提供することである。
【０００４】
【発明が解決するための手段及び作用・効果】
上記目的を達成するために請求項１の発明は、大便器とは別体に設けられ、分岐金具を介して大便器の給水管から分岐した給水管と、排水管とを備え、排水管が大便器と便座の間のリムに固着されていることを特徴とする手洗器を提供する。
手洗器の給水管は大便器の給水管から分岐しており、手洗器の排水管は排水を大便器のボール面に排出するので、トイレ改修時、手洗器を新たに設ける場合においても、新たな給排水管を立ち上げ直す必要がなく、給排水管の立ち上げ直し時の壁や床を外す工事（大工工事）もないため、その施工手間の軽減が図れ、また水道工事と大工工事の相番工事による手待ち時間の軽減が図れる。さらにそれらにより施工費の削減が出来る。
手洗器の排水管は大便器と便座の間のリムに固着されているので、既存の便座が使える上、排水が確実に大便器のボール面に排出され周囲への飛び散りがない。
【０００５】
【発明の実施の形態】
この発明の第１実施例を第１図を参照しながら説明する。
手洗器１は、大便器２と図１のように給水管３、排水管４を介して設置している。
手洗器の排水は手洗器下でトラップ５を形成し（図１）そのまま排水管４にて横引きされ、大便器２のボール内に排水される。若しくは横引きされた後、壁際でトラップ５を形成し（図示せず）排水管４を介して大便器２のボール内に排水される。
一方、給水側については止水栓６に図２の三叉分岐金具７をつなぎ、給水を３系統に分岐させる。給水管８はロータンクへ、給水管９は手洗器給水栓へ、給水管１０は温水洗浄便座へと接続されている。特に給水管９は、寒冷地仕様のときは水抜きのために、大便器付近で分岐し、一方は抜いた水が排出できるように大便器に排水する構造をとることも出来る。また給水管は共に三叉分岐金具７とカプラー方式で接続されるため、スパナ等の工具不要で接続できる。
【０００６】
この発明の第２実施例を第３図を参照しながら説明する。
第１実施例において、手洗器の排水管４は大便器２の後部に設けた排水穴１１に接続され、前記排水穴は、大便器リム内部に通じており、排水は大便器リムの内部より大便器ボール面に排出される。
【０００７】
この発明の第３実施例を第４図を参照しながら説明する。
第１実施例において、手洗器の排水管４は、便座１２の横部についた排水穴１１と直接つなぎ便座１２の内部を通して大便器ボール面に排出される。
【０００８】
この発明の第４実施例を第５図を参照しながら説明する。
第１実施例において、手洗器の排水管４は、端部に図６の排水ユニットを接続する。排水は排水ユニットの排水管接続部１３より、排水ユニット内に入り通水部１４を通った後、排出部１５より排水される構造である。また、固定は可変式のストッパー１６と排出部１５にて大便器リムをはさむことによって行う。排水ユニットを大便器２と便座１２の間の大便器リム部に固定することにより排水管４を通った排水は、排水ユニットを通った後、大便器ボール面に排出される。
【０００９】
この発明の第５実施例を第７図を参照しながら説明する。
第１実施例において、手洗器の給水管３と排水管４は露出しており意匠性を損なっているが、給排水の横引き部分に配管カバー１７を設置することにより給排水管が配管カバーで隠蔽されるのでトイレ内がすっきりし意匠性も優れたものになる。
【００１０】
この発明の第６実施例を第８図を参照しながら説明する。
第５実施例において、配管カバー１７の上面にカウンター１８を設置し配管カバー１７を目立たなくさせることも出来る。また、このカウンター１７は上部に花などの飾り物を置くこともできる。
【００１１】
この発明の第７実施例を第９図を参照しながら説明する。
第５実施例において、大便器との給排水接続部分の給排水管が露出しているが、止水栓まわりを隠蔽する配管カバー１７を設置することによっても給排水接続部分を隠蔽し目立たなくすることも出来る。
【００１２】
【発明の効果】
本発明は上記構成により次の効果を発揮する。
手洗器の給水管は大便器の給水管から分岐しており、手洗器の排水管は排水を大便器のボール面に排出するので、トイレ改修時、手洗器を新たに設ける場合においても、新たな給排水管を立ち上げ直す必要がなく、給排水管の立ち上げ直し時の壁や床を外す工事（大工工事）もないため、その施工手間の軽減が図れ、また水道工事と大工工事の相番工事による手待ち時間の軽減が図れる。さらにそれらにより施工費の削減ができる。
手洗器の排水管は大便器と便座の間のリムに固着されているので、既存の便座が使える上、排水が確実に大便器のボール面に排出され周囲への飛び散りがない。
【図面の簡単な説明】
【図１】この発明の第１実施例を表す斜視図。
【図２】三叉分岐金具を表す水面図。
【図３】この発明の第２実施例を表す斜視図。
【図４】この発明の第３実施例を表す斜視図。
【図５】この発明の第４実施例を表す斜視図。
【図６】排水ユニットを表す平面図。
【図７】この発明の第５実施例を表す斜視図。
【図８】この発明の第６実施例を表す斜視図。
【図９】この発明の第７実施例を表す斜視図。
【符号の説明】
１  手洗器
２  大便器
３  給水管
４  排水管
５  トラップ
６  止水栓
７  三叉分岐金具
８  給水管
９  排水管
１０  給水栓
１１  排水穴
１２  便座
１３  排水管接続部
１４  通水部
１５  排出部
１６  ストッパー
１７  配管カバー
【図１】
0003562621.tif 000002
【図２】
0003562621.tif 000003
【図３】
0003562621.tif 000004
【図４】
0003562621.tif 000005
【図５】
0003562621.tif 000006
【図６】
0003562621.tif 000007
【図７】
0003562621.tif 000008
【図８】
0003562621.tif 000009
【図９】
0003562621.tif 000010